(57)【要約】【課題】車椅子への移乗をなくし、介護者の僅かな介添えでトイレの便器上へ移動し排泄ができる介護ベッドシステムを提供する【解決手段】曲折可能に直線上に相互に連結した頭載部、背受部、尻載部、下腿受部、足載部からなり、被介護者が水平に寝ているベッド状態と被介護者が座位できる車椅子状態に変換可能に構成した車輪付介護ベッドにおいて、尻載部は、四角状の枠体である尻載枠と、その尻載枠に密着して開閉可能にした四角板形状の便座蓋、便座蓋の下方に便座を設け、便座蓋を下降、尻載枠を上昇させる等により、便座蓋への体重のかかり具合を軽減させた後、便座蓋を尻載枠に対して移動させることにより便座蓋を開き、トイレに移動し、トイレの便器で排泄できる介護ベッドシステム【選択図】    図３
2010268872.tif 000002
【特許請求の範囲】
【請求項１】
曲折可能に直線上に相互に連結した頭載部、背受部、尻載部、下腿受部、足載部からなり、被介護者が水平に寝るベッド状態と、被介護者が座位できる車椅子状態に相互に変換し、移動できる車輪付介護ベッドにおいて、尻載部は、略四角状の枠体である尻載枠と、その尻載枠に密着した状態から下降し、水平に移動することで開閉可能にした略四角板形状の便座蓋と、便座蓋の下方に便座を設け、被介護者がベッド状態のとき、便座蓋を尻載枠に対して下降させ、便座蓋への体重のかかり具合を軽減させた後、便座蓋を移動させることにより便座蓋を開き、被介護者を便座に載せることを特徴とする介護ベッドシステム。
【請求項２】
曲折可能に直線上に相互に連結した頭載部、背受部、尻載部、下腿受部、足載部からなり、被介護者が水平に寝るベッド状態と、被介護者が座位できる車椅子状態に相互に変換し、移動できる車輪付介護ベッドにおいて、尻載部は、略四角状の枠体で、便座蓋に対して上昇可能な尻載枠と、その尻載枠が上昇したとき水平に移動することにより開閉可能にした略四角板形状の便座蓋と、便座蓋の下方に便座を設け、被介護者がベッド状態のとき、尻載枠を上昇させ、被介護者の尻周辺部を持ち上げ、便座蓋への体重のかかり具合を軽減した後、便座蓋を移動させ、便座蓋を開け、被介護者を便座に載せることを特徴とする介護ベッドシステム。
【請求項３】
曲折可能に直線上に相互に連結した頭載部、背受部、尻載部、下腿受部、足載部からなり、被介護者が水平に寝るベッド状態と、被介護者が座位できる車椅子状態に相互に変換し、移動できる車輪付介護ベッドにおいて、尻載部は、横に開口部があるコの字状枠体である尻載枠と、その尻載枠に密着し、横方向に開閉可能にした略四角板形状の便座蓋と、便座蓋の下方に便座を設け、便座蓋以外の頭載部、背受部、尻載部の尻載枠、下腿受部、足載部は、尻載枠の開口部側を上昇させて介護ベッドを横向けに傾斜させることができ、被介護者がベッド状態のとき、背受部、尻載部の尻載枠、下腿受部を、尻載枠の開口側を高くして被介護者を横向けにすることにより、被介護者の便器蓋への体重のかかり具合を軽減させ、便座蓋を横方向に移動させて便座蓋を開け、被介護者を便座に載せることを特徴とする介護ベッドシステム。
【請求項４】
曲折可能に直線上に相互に連結した頭載部、背受部、尻載部、下腿受部、足載部からなり、被介護者が水平に寝るベッド状態と、被介護者が座位できる車椅子状態に相互に変換し、移動できる車輪付介護ベッドにおいて、尻載部は、尻載枠と、その尻載枠に密着し開閉可能にした便座蓋と、便座蓋の下方に便座を設け、頭載部、背受部は、後方にリクライニングさせ、尻載部は、斜め上方に持ち上げ、下腿受部、足載部は上方に持ち上げることができ、
被介護者がベッド状態のとき、又は、車椅子状態のときに頭載部、背受部を後方にリクライニングし、尻載部を斜め上方に持ち上げ、下腿受部、足載部を上に持ち上げ、背凭れ状態にすることにより、尻載部の便座蓋への被介護者の体重がかかるのを軽減させ、便座蓋を移動させて便座蓋を開くことを特徴とする介護ベッドシステム。
【発明の詳細な説明】
【技術分野】
【０００１】
被介護者がベッドに寝た状態から、移乗することなく座位できる車椅子に変換し、そのままトイレに移動し、トイレの便器にて排泄できる介護ベッドシステムに関する。
【背景技術】
【０００２】
高齢者の増加とともに排泄がトイレの便器で出来ない要介護者が増加している。ベッドに寝ている老人や、病人などの被介護者をトイレの便器で、排泄するには、一般には、ベッドに車椅子を横付けにして介護者が被介護者を両腕で抱きかかえてベッドから、車椅子に移乗し、車椅子でトイレに移動し、そこから介護者が、被介護者を両腕で抱きかかえて車椅子から、トイレの便器に移乗される必要がある。又、非介護者がトイレで排泄を終わると、再び、介護者が、被介護者を両腕で抱きかかえトイレの便器から車椅子に移乗させ、車椅子でベッドまで移動して戻り、介護者が、被介護者を両腕で抱きかかえて車椅子からベッドに移乗させる必要がある。このため、介護者には、多大の労力と手間が必要で、腰や背中を痛め、被介護者自身の健康を損ねるという問題が起こっている。
【０００３】
現状では、ベッドからトイレの便器上へ其のまま移動するのに適した介護車も無くベッド近くに簡易便器を設け排泄する場合がある。
【０００４】
ベッドとは別に、車椅子の座部中央に用便が可能な所要の排泄穴を開け、下にポータブルトイレを設けた介護用車椅子があるが、臭いが残り、このポータブルトイレをいちいち取り替え、常に清潔に保つ必要がある。
【０００５】
被介護者を吊るして持ち上げる装置を装備する方法もあるが、大掛かりになり、一般家庭では使えない。
【先行技術文献】
【特許文献】
【０００６】
【特許文献１】特開平１０−２０１７９７
【特許文献２】特開２００２−１７７３３３
【特許文献３】特開２００１−２９３０３５
【発明の概要】
【発明が解決しようとする課題】
【０００７】
被介護者がベッドに寝た状態から、移乗することなく座位できる車椅子に変換して、そのままトイレに移動して、トイレの便器にて排泄できる介護ベッドシステムを目的とする。
その実現には次のような課題がある。
１）被介護者が寝ているベッド状態から、移乗することなく、被介護者が座位する車椅子状態に変形し、その車椅子状態で、被介護者がトイレの便座に、容易に移動できる安全で軽量な介護ベッドの構造。
２）被介護者が車椅子状態（被介護者が車椅子に座位している状態）でトイレに移動してトイレの便器で排泄できるように、座位部に開口部に設け、開閉可能とする。
３）上記、開口部は、家庭用のトイレの便器の後方部に配置される水洗タンク等にあたらないように開閉可能とする。
【課題を解決するための手段】
【０００８】
本発明では、図１のように、ベッド状態から被介護者の移乗なしにトイレに移動する介護ベッドシステムを提供する。
【０００９】
イ）曲折可能に直線上に相互に連結した頭載部６、背受部２、尻載部３、下腿受部４、足載部５からなり、被介護者は、図２(A)のように水平なベッド状態と、図２（B）のような被介護者が座位できる車椅子状態に相互に変換し、トイレに移動できる車輪付介護ベッドである。
ロ）尻載部３には開閉可能な便座蓋と、その下に便座を設ける。被介護者がトイレで排泄しないときは、便座蓋は閉まっている。
ハ）被介護者は、排泄するときに、便座蓋を開け、その下にある便座に座位する。
ニ）ベッド状態では、被介護者の尻の重みが、尻載部に掛かり、車椅子状態では、被介護者の体重が、尻載部にかかるため、便座蓋を下げたり、被介護者の腰や下腿等尻の周辺を持ち上げたり、被介護者を横向けにする等により、便座蓋への体重がかかるのを軽減させ（夫々、便座蓋下降による体重軽減状態、尻周辺部持ち上げによる体重軽減状態、横向けによる体重軽減状態と呼ぶ）、尻載部の便座蓋の開閉を容易にする。
ホ）車椅子状態においては、図２（Ｃ）のように、尻載部に被介護者の体重がかかっているため、車椅子状態から一時、頭載部、背受部をリクライニングし、脚を上げる方向に尻載部を斜め上方にして、下腿受部、足載部を持ち上げ、被介護者の体重を背受部に移動させることにより、尻載部の便座蓋への被介護者の体重がかかるのを軽減させる体重軽減状態（背凭れ体重軽減状態と呼ぶ）を作り出し、便器蓋の開閉を容易にする。
ヘ）排泄のために開いた便座蓋を、トイレの便器、水タンク等にあたらないように背受部の裏などに収容する。
【発明の効果】
【００１０】
お年寄りや、体の不自由な方は、ベッド状態から、移乗することなく車椅子状態に変形し、その状態でトイレに移動し、トイレの便器で排泄できるので、介護者の労力が大幅に軽減できる。被介護者にとってもベッド状態、車椅子状態で、読書なども可能で、必要なときに便座蓋を開いてトイレで用をたせる。
【図面の簡単な説明】
【００１１】
【図１】介護ベッドシステムの全体構成
【図２】介護ベッドシステムの状態（Ａ）  介護ベッドのベッド状態（Ｂ）  介護ベッドの車椅子状態    （Ｃ）  介護ベッドの背凭れ状態
【図３】尻載部の構成
【図４】尻載部の動作説明図
【図５】便座蓋開口方式：便座蓋下降方式（便器蓋水平前方収容）
【図６】便座蓋開口方式：便座蓋下降方式（便器蓋斜め後方収容）
【図７】便座蓋開口方式：便座蓋下降方式（便器蓋側回転収容）
【図８】便座蓋開口方式：便器蓋下方方式（両開き方式）
【図９】便座蓋開口方式：尻周辺部上昇による体重軽減方式（便器蓋横引き出し）
【図１０】便座蓋開口方式：横向け方式による体重軽減方式（便器蓋横引き出し）
【図１１】便座蓋開口方式：背凭れ方式による体重軽減方式（便器蓋横引き出し）と介護ベッドの状態遷移
【発明を実施するための最良の形態】
【００１２】
本発明の介護ベッドは、図１、図２に示すように、曲折可能なヒンジなどで線状に連結した頭載部６、背受部２、尻載部３、下腿受部４、足載部５で構成している。頭載部６、背受部３、尻載部３には、車輪７１付きの脚７２で支持し、移動できる。
本発明の介護ベッドは、図２に示すように２つの形態をとりえる。図2(Ａ)は、頭載部６、背受部２、尻載部３、下腿受部４、足載部５が一直線上に水平に曲折可能に連携し、被介護者が寝れるベッド状態、図２(B)は被介護者が座位する車椅子状態である。
尻載部３には、図３のように、便座蓋３２と便座３３を設ける。排泄しないときは、便座蓋３２は閉じており、トイレで排泄するときに便座蓋３２を開ける。被介護者を移乗させないで、尻載部３の便座蓋３２を開けるため、便座蓋３２への被介護者の体重がかかるのを軽減させる体重軽減状態をつくることにより便座蓋３２を開け易くしている。
頭載部６、背受部２、尻載部３、下腿受部４、足載部５の各部は、車椅子状態等に変形するため、ヒンジ等で折り曲げ可能に蝶着し、ギヤー、ワイヤー等で接続して、電動モータ、アクチュエータ等の駆動で変形できる。図２（A）のベッド状態から、図２（Ｂ）の車椅子状態に変形するときは、頭載部６と背受部２が折り畳まれ、脚フレーム７４は、中空の脚フレーム７３の内側にスライドして収納される。
また、図２(C)に示すように、頭載部６、背受部２をリクライニングし、脚を上げる方向に尻載部を斜め上方に持ち上げ、下腿受部、足載部を持ち上げる背凭れ状態を設けてもよい。背凭れ状態では、尻載部３への体重のかかり割合が極めて軽減され、便座蓋は開け易くなる。
体重軽減状態としては、１）便座蓋下降体重軽減方式、２）尻周辺部上昇体重軽減方式  ３）横向け体重軽減方式  ４）背凭れ体重軽減方式がある。以下の各方式の実施例を示す。
【実施例１】
【００１３】
便座蓋下降体重軽減方式の実施例を図３〜図６に示す。
便座蓋下降体重軽減方式では、尻載部は、略四角状の枠体である尻載枠と、その尻載枠に密着した状態から下降し、水平に移動することで開閉可能にした略四角板形状の便座蓋と、便座蓋の下方に便座を設け、被介護者がベッド状態のとき、便座蓋を尻載枠に対して下降させ、便座蓋への体重のかかり具合を軽減させた後、便座蓋を移動させることにより便座蓋を開き、被介護者を便座に載せる方式である。
図３は、便座蓋下降方式で便座蓋を後方に収容する場合の尻載部の構成例である。
尻載部３は、尻載枠３１、便座蓋３２、便座３３、便座載せ台３４、アクチュエータ36からなり、背受部２の裏側に便座蓋収容レール３５を設ける。
尻載枠３１は略四角状の枠体である。便座蓋３２の下に便座３３を交換可能に設置できる便座載せ台３４を配置している。便座載せ台３４はU字型の台で、底面に、便座用の開口部を設け、便座３３を交換可能に取り付け、側面の上端部が、便座蓋３２を支える便座蓋レール３４１である。便座蓋３２は、便座３３より大きく、略四角板形状で、下部に左右前後に４つのローラー３２１を設け、便座蓋載せ台３４の便座蓋レール３４１に、ローラー３２１を載せてスライドできる。
【００１４】
通常、便座蓋３２は、尻載枠３１の略四角状の枠体に、ほとんど隙間なく密着して閉じられ、尻載枠３１と略同じ高さに設置している。
便座蓋３２を開けるときは、便座蓋３２が保持している便座載せ台３４を、一定位置まで下降させ、便座蓋３２を、便座蓋レール３４１と便座蓋収容レール３５上を後方にスライドさせ、便座蓋収容レール３５に収容する。
便座蓋３２が便座蓋収容レール３５に収容されると、便座載せ台３４は、便座３２を、アクチュエータ３６により尻載枠３１と略同じ高さまで上昇させ、被介護者の尻を載せる。
便座蓋３２を閉めるときは、上記とは逆の動作を行う。便座３３を載せた便座載せ台３４を下降させた後、便座蓋３２を、便座蓋収容レール３５から便座蓋レール３４１へとスライドさせ、便座蓋３２が便座載せ台３４に収まると、便座蓋３２が載った便座載せ台３４を、尻載枠３１と略同じ高さまで上昇させ、便座蓋３２を閉じる。
【００１５】
図４は、ベッド状態において、便座蓋３２を開ける方法を示す。
１）被介護者が寝ているときは、図４（A）のように、便座蓋３２が閉まっており、便座蓋３２は、尻載枠３１、背受部３と略同じ高さに設置されている。
２）被介護者の尻の体重を軽減させるため、図４（B）のように、便座載せ台３４を下げ、便座蓋３２を便座蓋収容レール３５の位置まで下降させる。
３）便座蓋３２を、図４（C）のように、便座載せ台３４の便座蓋レール３４１と便座蓋収容レール３５上を後方にスライドさせる。
４）便座蓋３２を、図４（D）のように便座蓋収容レール３５に完全に収容させると、便座載せ台３４を上昇させ、便座３３を尻載枠３１と略同じ高さまで上げる。
５）車椅子状態にすると、図４（E）のように、便座蓋３２は、便座蓋収容レール３５に収容され、折り曲げられて背受部２の裏側に収容される。
【００１６】
逆に、便座蓋３２が背受部２の裏側に収容され車椅子状態から、便座蓋３２を閉じるためには、図４（E）の車椅子状態を図４（D）のベッド状態にし、図４（C）とは逆に、便座載せ台３４を下げて便座３３を元の位置に下降させ、便座蓋３２を便座載せ台３４の便座蓋レール３４１上をスライドさせる。更に、図４（A）とは逆に、便座載せ台３４を上昇させ、便座蓋３２を尻載枠３１と同じ高さまで上げることにより便座蓋を閉じる。
【００１７】
図５は、便座蓋下降方式で、便座蓋を下腿受部４の下に収容する水平前方収容方式の例である。図５（A）は便座蓋３２が閉じている状態図、図５（B）は、便座蓋を下降させることよる体重軽減状態。図５（C）は、便座蓋３２を、前方にスライドさせ下腿受部４の下に収容している状態、図５（D）は、便座を尻載部と同じ高さに上昇させた状態を示す。
【００１８】
図６は便座蓋下降方式の一つである斜め後方下降方式の実施例である。
便座蓋３１の前方部が尻載枠３１に尻載枠・便座蓋ヒンジ３１１により蝶着され、便座蓋３２の後方部（背受部側）が下降し、便器蓋３２が斜め後方下方向に下降する方式である。図６（A）は便座蓋３２が閉じている状態、図６（Ｂ）は、便座蓋３２の後方を斜め下方向に下げ、被介護者の尻の体重の尻載部３への係り具合を軽減させた状態、図６（Ｃ）は、便座蓋３２を背受部２の下方にスライドさせた状態、図６（Ｄ）は、便座３３を尻載部３と同じ高さに上昇させた状態を示す。
【００１９】
図７は、便座蓋下降方式の回転収容方式である。図７（A）は便座蓋３２が閉じている状態、図７（B）は便座蓋３２を下降させることによる体重軽減状態、図７（C）は便座蓋３２を尻載部３の一点で回転させた状態、図７（Ｄ）は、便座蓋３２を、背受部２の裏に収容し、便座３３を尻載枠３１と同じ高さに上昇させた状態である。
【００２０】
図８は、便座蓋下降方式で便座蓋が真ん中で二つに分かれて下降することにより、体重軽減状態をつくり、便座蓋３２を開ける方法である。図８（A）は便座蓋３２が閉じている状態、図８（Ｂ）は、便座蓋３２が真ん中で二つに分かれて下降することにより、体重軽減状態をつくる状態を示す。
【実施例２】
【００２１】
図９は、被介護者の腰や下腿等の尻周辺部上昇による体重軽減方式の実施例である。尻周辺部上昇による体重軽減方式では、尻載部３は、便座蓋３２に対して上昇可能な尻載枠と、その尻載枠３１が上昇したとき水平に移動することにより開閉可能な略四角板形状の便座蓋３２と、便座蓋３２の下方に便座３３を設け、被介護者がベッド状態のとき、尻載枠３１を上昇させて、被介護者の尻周辺部を持ち上げて便座蓋３２への体重のかかり具合を軽減した後、便座蓋３２を移動させて、便座蓋３２を開け、被介護者を便座に載せる方式である。
図９では、尻載枠３１を上昇させ、被介護者の尻部の周りを持ち上げ後、便座蓋３２を横方向に引き抜く場合を例示している。図９（A）は便座蓋３２が閉じている状態、図９（B）は、尻載枠３１を上昇させ、被介護者の尻部の周辺を持ち上げている状態、図９（Ｃ）は、便座蓋３２を横側方向にスライドさせ引き出している状態、図９（Ｄ）は便座蓋３２を尻載部３の側面に、折って垂下げている状態である。
【実施例３】
【００２２】
図１０は、被介護者を斜めにすることにより、便座蓋３２への体重のかかり具合を軽減させる横向け体重軽減方式である。
横向け体重軽減方式では、尻載部３は、横に開口部があるコの字状枠体である尻載枠３１と、その尻載枠３１に密着し、横方向に開閉可能にした略四角板形状の便座蓋３２と、便座蓋３２の下方に便座３３を設け、便座蓋３２以外の頭載部６、背受部２、尻載部３の尻載枠３１、下腿受部４、足載部５は、尻載枠３１の開口部側を上昇させて介護ベッドを横向けに傾斜でき、被介護者がベッド状態のとき、背受部２、尻載部３の尻載枠３１、下腿受部４を、尻載枠３１の開口側を高くして被介護者を斜めにすることにより、被介護者の便器蓋３２への体重のかかり具合を軽減させ、便器蓋３２を横方向に移動させて開け、被介護者を便座３３に載せる方式である。
図１０では、尻載部３に、横方向に開口部がある略コの字状の枠体である尻載枠３１と、その尻載枠３１に密着し横方向に開閉可能にした略四角板形状の便座蓋３２と、便座蓋３２の下に便座３３を設ける場合を例示している。図１０（A）は便座蓋３２が閉じ、被介護者がベッド状態にある状態、図１０(B)は、背受部２、尻載部３の尻載枠３１、下腿受部４を、尻載枠３１の開口側を高くして斜めにし、被介護者の便器蓋３２への体重のかかり具合を軽減する状態、図１０(C)は、便座蓋３２を横方向に移動させて開ける。図１０（Ｄ）は、背受部２、尻載部３の尻載枠３１、下腿受部４を水平に戻し、便座３３を上昇させ被介護者を載せる状態を示す。
【実施例４】
【００２３】
図１１は背凭れ体重軽減方式を示す。
背凭れ体重軽減方式では、尻載部３は、尻載枠３１と、その尻載枠３１に密着し開閉可能にした便座蓋３２と、便座蓋３２の下方に便座３３を設け、頭載部６、背受部２は、後方にリクライニングさせ、尻載部３は、斜め上方に持ち上げ、下腿受部４、足載部５は上方に持ち上げることができ、被介護者がベッド状態のとき、又は、車椅子状態のときに、頭載部６、背受部２を後方にリクライニングし、脚を上げる方向に尻載部３を斜めに持ち上げ、下腿受部４、足載部５を持ち上げる背凭れ状態にすることにより、尻載部３の便座蓋３２への被介護者の体重がかかるのを軽減し、便座蓋３２を移動させ便座蓋３２を開く方式である。
図１１(Ａ)は、頭載部６、背受部３をリクライニングし、脚を上げる方向に尻載部３を斜めに持ち上げ、下腿受部４、足載部５を持ち上げる背凭れ状態を設ける状態、図１１(Ｂ)は、さらに便座蓋３２を横に引き出している状態を示す。背凭れ状態では、尻載部３への体重のかかり割合が極めて軽減され、便座蓋３２は開け易くなる。図１１（Ｃ）は背凭れ体重軽減の状態遷移図である。
介護ベッドシステムは、S１：ベッド状態、S２：車椅子状態、S3：背凭れ状態の３つの状態を有する（S3の背凭れ状態を設けない場合もある）。夫々の状態において、便座蓋が閉まっている体重軽減状態(Ｓ１１、Ｓ２１、Ｓ３１)、便座蓋を開けた体重軽減状態（Ｓ１２、Ｓ２２、Ｓ３２）がある。
【００２４】
被介護者がベッドに寝ている状態から便座蓋３２を開ける場合と、被介護者が車椅子に座位している車椅子状態から便座蓋３２を開ける場合の介護ベッドシステムの状態遷移例を示す。
１）被介護者がベッドに寝ている状態から便座蓋を開ける場合：
ベッド状態Ｓ１では、便座蓋３２を開くために、便座蓋３２を下降させて、体重を軽減させるベッド体重軽減状態（便座蓋３２は閉じている）Ｓ１１に移行し、その状態から便座蓋３２を開けて、便座に載るベッド体重軽減状態（便座蓋３２は開口）Ｓ１２に移行する。更に、ベッド体重軽減状態（便座蓋３２は開口）Ｓ１２から、便座３３に座位している車椅子体重軽減状態（便座蓋３２は開口）S22に移行する。
【００２５】
２）被介護者が車椅子に座位している車椅子状態から便座蓋３２を開ける場合：
車椅子状態S2では、被介護者の体重が尻載部３にかかっているため、このままでは車椅子体重軽減状態（便座蓋３２は閉鎖）に移行することは難しい。この状態から便座蓋３２を開ける方法としては、一旦ベッド状態に移行した後、便座蓋３２を下降させて体重軽減により便座蓋３２を開ける方法と、被介護者が座位した車椅子状態S2から、一旦、背凭れ状態S3に移行し、被介護者の体重が尻載部３にかかるのを軽減させ、その状態から、便座蓋３２を開けた背凭れ体重軽減状態（便器孔は開口）S３２に移行して便座蓋３２を開ける方法がある。
【００２６】
便座蓋３２を開けた背凭れ体重軽減状態S３に移行する方法では、被介護者の尻と脚は、上方に持ち上げられるので、体重は、尻載部３から背受部３に移行し、尻載部３に体重が、かからない背凭れ体重軽減状態（便器蓋３２は閉鎖）S31に、さらに、便座蓋３２を開き、背凭れ体重軽減状態（便器蓋３２は開口）S32に移行する。この状態から車椅子状態S22に変形しトイレに移動する。
この状態遷移に示すように、背凭れ体重軽減方式に、便座蓋下降体重軽減方式、尻周辺部上昇体重軽減方式、横向け体重軽減方式などを合わせもつことにより、より体重軽減ができ、便器蓋を容易に開けることができる。
【００２７】
以上の体重軽減状態による、便座蓋３２の開いた後、車椅子をトイレに移動し、車椅子をトイレの便器９に覆せる必要がある。それには次の３つの方法がある
１）車椅子状態の前方から突っ込み覆せる場合（前方移動方式）
２）車椅子状態の後方から突っ込み覆せる場合（後方移動方式）
３）椅子状態の側面から便座に突っ込み覆せる場合（側面移動方式）
通常、上記の後方移動方式で、トイレの便器９には車椅子状態で、後方から突っ込み、便器９に覆せる。
【００２８】
トイレの形状によっては、車椅子の前方又は側面から便器に突っ込んで覆ることが必要な場合がある。前方移動方式では、下腿受部４、足載部５のフレームを取り外し、介護ベッドの下腿受部の車輪付の脚とベッドのフレームが、便器の上に覆せられるように門型の構成としている。側面から便器９に突っ込み覆せることができるように、車椅子の側面も脚の間隔は大きくした門型であることが望ましい。
【産業上の利用可能性】
【００２９】
被介護者がベッドに寝ている状態から、被介護者の移動、移乗がなくトイレの便器に排泄できる介護ベッドを用いた高効率福祉介護システムを構築できる。
【符号の説明】
【００３０】
1  介護ベッド
２  背受部
３  尻載部
３１        尻載フレーム
３１    尻載枠
３１１  尻載枠・便座蓋ヒンジ
３2     便座蓋
３２１    ローラー
３３    便座
３４    便座蓋載せ台
３４１  便座蓋レール
３５    便座蓋収容レール
３６    アクチュエータ
４  下腿受部
５  足載部
６  頭載部
７  その他の構成
７１  車輪
７２  脚
７３  横脚フレーム１
７４  横脚フレーム２
８    操作盤
９    便器
S１：ベッド状態
S11：ベッド状態（体重軽減：便座蓋閉）
S12：ベッド状態（体重軽減：便座蓋開）
S２：椅子状態
S21：椅子状態（体重軽減：便座蓋閉）
S22：椅子状態（体重軽減：便座蓋開）
S3：背凭れ状態
S31：背凭れ状態（体重軽減：便座蓋閉）
S32：背凭れ状態（体重軽減：便座蓋開）
【図１】
2010268872.tif 000003
【図２】
2010268872.tif 000004
【図３】
2010268872.tif 000005
【図４】
2010268872.tif 000006
【図５】
2010268872.tif 000007
【図６】
2010268872.tif 000008
【図７】
2010268872.tif 000009
【図８】
2010268872.tif 000010
【図９】
2010268872.tif 000011
【図１０】
2010268872.tif 000012
【図１１】
2010268872.tif 000013
【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
曲折可能に直線上に相互に連結した頭載部６、背受部２、尻載部３、下腿受部４、足載部５からなり、被介護者が水平に寝るベッド状態と、被介護者が座位できる車椅子状態に相互に変換し、移動できる車輪付介護ベッドで、排泄するときは、被介護者がベッドに寝た状態から、移乗することなく座位できる車椅子に変換して、そのままトイレに移動して、トイレの便器にて排泄できる介護ベッドであって、尻載部３は、略四角状の枠体である尻載枠３１と、その尻載枠３１に密着した状態から下降し、水平に移動することで開閉可能にした略四角板形状の便座蓋３２と、便座蓋３２の下方に便座３３を設け、被介護者がベッド状態のとき、便座蓋３２を尻載枠３１に対して下降させ、便座蓋３２への体重のかかり具合を軽減させた後、便座蓋３２を移動させることにより便座蓋３２を開き、被介護者を便座３３に載せることを特徴とする介護ベッドシステム。
【請求項２】
曲折可能に直線上に相互に連結した頭載部６、背受部２、尻載部３、下腿受部４、足載部５からなり、被介護者が水平に寝るベッド状態と、被介護者が座位できる車椅子状態に相互に変換し、移動できる車輪付介護ベッドで、排泄するときは、被介護者がベッドに寝た状態から、移乗することなく座位できる車椅子に変換して、そのままトイレに移動して、トイレの便器にて排泄できる介護ベッドであって、尻載部３は、略四角状の枠体で、便座蓋３３に対して上昇可能な尻載枠３１と、その尻載枠３１が上昇したとき水平に移動することにより開閉可能にした略四角板形状の便座蓋３２と、便座蓋の下方に便座３３を設け、被介護者がベッド状態のとき、尻載枠３１を上昇させ、被介護者の尻周辺部を持ち上げ、便座蓋３２への体重のかかり具合を軽減した後、便座蓋３２を移動させ、便座蓋３２を開け、被介護者を便座３３に載せることを特徴とする介護ベッドシステム。
【請求項３】
曲折可能に直線上に相互に連結した頭載部６、背受部２、尻載部３、下腿受部４、足載部５からなり、被介護者が水平に寝るベッド状態と、被介護者が座位できる車椅子状態に相互に変換し、移動できる車輪付介護ベッドで、排泄するときは、被介護者がベッドに寝た状態から、移乗することなく座位できる車椅子に変換して、そのままトイレに移動して、トイレの便器にて排泄できる介護ベッドであって、尻載部３は、横に開口部があるコの字状枠体である尻載枠３１と、その尻載枠３１に密着し、横方向に開閉可能にした略四角板形状の便座蓋３２と、便座蓋３２の下方に便座３３を設け、頭載部６、背受部２、下腿受部４について、尻載枠３１の開口部側を上昇させて介護ベッドを横向けに傾斜させることができ、被介護者がベッド状態のとき、頭載部６、背受部２、下腿受部４において、尻載枠３１の開口側を高くして被介護者を横向けにすることにより、被介護者の便座蓋３２への体重のかかり具合を軽減させ、便座蓋３２を横方向に移動させて便座蓋３２を開け、被介護者を便座３３に載せることを特徴とする介護ベッドシステム。
【請求項４】
曲折可能に直線上に相互に連結した頭載部６、背受部２、尻載部３、下腿受部４、足載部５からなり、被介護者が水平に寝るベッド状態と、被介護者が座位できる車椅子状態に相互に変換し、移動できる車輪付介護ベッドで、排泄するときは、被介護者がベッドに寝た状態から、移乗することなく座位できる車椅子に変換して、そのままトイレに移動して、トイレの便器にて排泄できる介護ベッドであって、尻載部３は、尻載枠３１と、その尻載枠３１に密着し開閉可能にした便座蓋３２と、便座蓋３２の下方に便座３３を設け、頭載部６、背受部２は、後方にリクライニングさせ、尻載部３は、斜め上方に持ち上げ、下腿受部４、足載部５は上方に持ち上げることができ、被介護者がベッド状態のとき、又は、車椅子状態のときに頭載部６、背受部２を後方にリクライニングし、尻載部３を斜め上方に持ち上げ、下腿受部４、足載部５を上に持ち上げ、背凭れ状態にすることにより、尻載部３の便座蓋３２への被介護者の体重がかかるのを軽減させ、便座蓋３２を移動させて便座蓋３２を開くことを特徴とする介護ベッドシステム。
【手続補正２】
【補正対象書類名】明細書
【補正対象項目名】００２２
【補正方法】変更
【補正の内容】
【００２２】
図１０は、被介護者を斜めにすることにより、便座蓋３２への体重のかかり具合を軽減さ
せる横向け体重軽減方式である。
横向け体重軽減方式では、尻載部３は、横に開口部があるコの字状枠体である尻載枠３１
と、その尻載枠３１に密着し、横方向に開閉可能にした略四角板形状の便座蓋３２と、便
座蓋３２の下方に便座３３を設け、頭載部６、背受部２、下腿受部４は、尻載枠３１の開口部側を上昇させて介護ベッドを横向けに傾斜でき、被介護者がベッド状態のとき、頭載部６、背受部２、下腿受部４を、尻載枠３１の開口側を高くして被介護者を斜めにすることにより、被介護者の便器蓋３２への体重のかかり具合を軽減させ、便器蓋３２を横方向に移動させて開け、被介護者を便座３３に載せる方式である。
図１０では、尻載部３に、横方向に開口部がある略コの字状の枠体である尻載枠３１と、
その尻載枠３１に密着し横方向に開閉可能にした略四角板形状の便座蓋３２と、便座蓋３
２の下に便座３３を設ける場合を例示している。図１０（A）は便座蓋３２が閉じ、被介
護者がベッド状態にある状態、図１０(B)は、頭載部６、背受部２、下腿受部４について、尻載枠３１の開口側を高くして斜めにし、被介護者の便器蓋３２への体重のかかり具合を軽減する状態、図１０(C)は、便座蓋３２を横方向に移動させて開ける。図１０（Ｄ）は、頭載部６、背受部２、下腿受部４を水平に戻し、便座３３を上昇させ被介護者を載せる状態を示す。
【手続補正３】
【補正対象書類名】明細書
【補正対象項目名】００３０
【補正方法】変更
【補正の内容】
【００３０】
1  介護ベッド
２  背受部
３  尻載部
３１    尻載枠
３１１  尻載枠・便座蓋ヒンジ
３２ 便座蓋
３２１    ローラー
３３    便座
３４    便座蓋載せ台
３４１  便座蓋レール
３５    便座蓋収容レール
３６    アクチュエータ
４  下腿受部
５  足載部
６  頭載部
７  その他の構成
７１  車輪
７２  脚
７３  横脚フレーム１
７４  横脚フレーム２
８    操作盤
９    便器
S１：ベッド状態
S11：ベッド状態（体重軽減：便座蓋閉）
S12：ベッド状態（体重軽減：便座蓋開）
S２：椅子状態
S21：椅子状態（体重軽減：便座蓋閉）
S22：椅子状態（体重軽減：便座蓋開）
S3：背凭れ状態
S31：背凭れ状態（体重軽減：便座蓋閉）
S32：背凭れ状態（体重軽減：便座蓋開